(57)【特許請求の範囲】
【請求項１】
底面を形成する底板を有するカセットケースを備えるテープカセットであって、
印字媒体であるテープが巻回されたテープロールと、
前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、
前記第一回転体より前記第二方向側に設けられ、前記底板を、前記底面に直交する直交方向に貫通する第一開口部と、
前記第一開口部より前記第二方向側に設けられ、前記テープへの印字に使用されるインクリボンが巻回されたインクリボンロールと、
前記インクリボンロールの巻回中心より前記第一方向側且つ前記第二方向側に設けられ、前記搬送経路を形成する第二回転体と
を備え、
前記第一回転体と前記第一開口部との間の距離は、前記第一回転体の径より短いことを特徴とするテープカセット。
【請求項２】
前記第一回転体より前記第二方向側且つ前記第二回転体より前記第二方向の反対方向である第三方向側における前記テープの搬送経路より、前記第一方向の反対方向である第四方向側に設けられ、前記第一回転体の前記第一方向側の端部と前記第二回転体の前記第一方向側の端部とを結ぶ第一仮想線より、前記第四方向側に位置する第一規制部を備えたことを特徴とする請求項１に記載のテープカセット。
【請求項３】
前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えたことを特徴とする請求項２に記載のテープカセット。
【請求項４】
前記カセットケースは、前記第二方向側の端部に設けられた壁部である端部壁を備え、
前記テープカセットは、
前記カセットケースにおける前記端部壁の一部を含み、前記テープの前記搬送経路のうち前記端部壁と平行に延びる部分に沿って前記第四方向側に延び、前記第四方向側の端部に前記テープを排出する排出口を有するアーム部と、
前記アーム部における前記第四方向側の端部に設けられ、前記テープを前記排出口に案内する案内部と、
前記アーム部の前記第三方向側に隣接して前記カセットケースの前記第一方向側に延び、前記底板を前記直交方向に貫通し、前記カセットケースの前記第一方向における中心位置を跨いで構成された第二開口部と
を備え、
前記テープロールから、前記第一回転体、前記第二回転体、前記案内部、及び前記排出口を介して前記テープが前記カセットケースの外部に排出される前記搬送経路において、前記第二開口部寄りに屈曲する箇所は、前記第一回転体、前記第二回転体、及び前記案内部の３か所のみであることを特徴とする請求項３に記載のテープカセット。
【請求項５】
前記第一規制部は、前記第一開口部の前記第二方向側の端部に設けられた壁部を含み、
前記第一開口部の前記第三方向側の端部から前記第一規制部の前記第二方向側の端部までの第一距離は、前記第一開口部の前記第三方向側の端部から前記第二回転体の前記第二方向側の端部までの第二距離の１／３以下であることを特徴とする請求項２に記載のテープカセット。
【請求項６】
底面を形成する底板を有するカセットケースを備えるテープカセットであって、
印字媒体であるテープが巻回されたテープロールと、
前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、
前記第一回転体より前記第二方向側に設けられ、前記底板を、前記底面に直交する直交方向に貫通する第一開口部と、
前記第一開口部より前記第二方向側に設けられ、前記テープへの印字に使用されるインクリボンが巻回されたインクリボンロールと、
前記インクリボンロールの巻回中心より前記第一方向側且つ前記第二方向側に設けられ、前記搬送経路を形成する第二回転体と
を備え、
前記カセットケースは、前記第二方向側の端部に設けられた壁部である端部壁を備え、
前記テープカセットは、
前記カセットケースにおける前記端部壁の一部を含み、前記テープの前記搬送経路のうち前記端部壁と平行に延びる部分に沿って前記第一方向の反対方向である第四方向側に延び、前記第四方向側の端部に前記テープを排出する排出口を有するアーム部と、
前記アーム部における前記第四方向側の端部に設けられ、前記テープを前記排出口に案内する案内部と、
前記アーム部の前記第二方向の反対方向である第三方向側に隣接して前記カセットケースの前記第一方向側に延び、前記底板を前記直交方向に貫通し、前記カセットケースの前記第一方向における中心位置を跨いで構成された第二開口部と
を備え、
前記テープロールから、前記第一回転体、前記第二回転体、前記案内部、及び前記排出口を介して前記テープが前記カセットケースの外部に排出される前記搬送経路において、前記第二開口部寄りに屈曲する箇所は、前記第一回転体、前記第二回転体、及び前記案内部の３か所のみであることを特徴とするテープカセット。
【請求項７】
前記第一回転体より前記第二方向側且つ前記第二回転体より前記第三方向側における前記テープの搬送経路より、前記第四方向側に設けられ、前記第一回転体の前記第一方向側の端部と前記第二回転体の前記第一方向側の端部とを結ぶ第一仮想線より、前記第四方向側に位置する第一規制部を備えたことを特徴とする請求項６に記載のテープカセット。
【請求項８】
前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えたことを特徴とする請求項７に記載のテープカセット。
【請求項９】
前記カセットケースの前記端部壁において、前記アーム部の前記第一方向側の端部に連接され、前記第三方向側に凹む凹部を備え、
前記凹部は、前記案内部の前記第二方向側の端部と、前記第二回転体の前記第二方向側の端部とを結んだ第二仮想線より前記第二方向側に位置することを特徴とする請求項６から８のいずれかに記載のテープカセット。
【請求項１０】
前記テープロールから、前記第一回転体、前記第二回転体、前記案内部、及び前記排出口を介して前記テープが前記カセットケースの外部に排出される前記搬送経路において、前記搬送経路が屈曲する複数の屈曲部は、全て前記第二開口部寄りに屈曲することを特徴とする請求項６から９のいずれかに記載のテープカセット。
【請求項１１】
前記カセットケースは、前記カセットケースの上面を形成する上板を有する上ケースと、前記底板を有する下ケースとを備え、
前記下ケースは、前記第一開口部の前記第三方向の端部から前記第一回転体の前記第四方向側に延びる延伸壁部を備えたことを特徴とする請求項２から１０のいずれかに記載のテープカセット。
【請求項１２】
底面を形成する底板を有するカセットケースを備えるテープカセットであって、
印字媒体であるテープが巻回されたテープロールと、
前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、
前記第一回転体より前記第二方向側に設けられ、前記底板を、前記底面に直交する直交方向に貫通する第一開口部と、
前記第一開口部より前記第二方向側に設けられ、前記テープへの印字に使用されるインクリボンが巻回されたインクリボンロールと、
前記インクリボンロールの巻回中心より前記第一方向側且つ前記第二方向側に設けられ、前記搬送経路を形成する第二回転体と
を備え、
前記カセットケースは、前記カセットケースの上面を形成する上板を有する上ケースと、前記底板を有する下ケースとを備え、
前記下ケースは、前記第一開口部の前記第二方向の反対方向である第三方向の端部から前記第一回転体の前記第一方向の反対方向である第四方向側に延びる延伸壁部を備えたことを特徴とするテープカセット。
【請求項１３】
前記第一回転体より前記第二方向側且つ前記第二回転体より前記第三方向側における前記テープの搬送経路より、前記第四方向側に設けられ、前記第一回転体の前記第一方向側の端部と前記第二回転体の前記第一方向側の端部とを結ぶ第一仮想線より、前記第四方向側に位置する第一規制部を備えたことを特徴とする請求項１２に記載のテープカセット。
【請求項１４】
前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えたことを特徴とする請求項１３に記載のテープカセット。
【請求項１５】
前記延伸壁部の上端の位置は、前記第一回転体の上端の位置より上側であることを特徴とする請求項１１から１４のいずれかに記載のテープカセット。
【請求項１６】
前記第二回転体は、前記テープの搬送に伴い従動回転可能であることを特徴とする請求項１から１５のいずれかに記載のテープカセット。
【請求項１７】
前記第一回転体の径は、前記第二回転体の径より短いことを特徴とする請求項１から１６のいずれかに記載のテープカセット。
【請求項１８】
前記第一回転体の前記直交方向の長さは、前記テープの前記直交方向の長さより長く、前記第二回転体の前記直交方向の長さは、前記テープの前記直交方向の長さより短いことを特徴とする請求項１から１７のいずれかに記載のテープカセット。
【請求項１９】
底面を形成する底板を有するカセットケースを備えるテープカセットであって、
印字媒体であるテープが巻回されたテープロールと、
前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、
前記第一回転体より前記第二方向側に設けられ、前記底板を、前記底面に直交する直交方向に貫通する第一開口部と、
前記第一開口部より前記第二方向側に設けられ、前記テープへの印字に使用されるインクリボンが巻回されたインクリボンロールと、
前記インクリボンロールの巻回中心より前記第一方向側且つ前記第二方向側に設けられ、前記搬送経路を形成する第二回転体と
を備え、
前記第一回転体の前記直交方向の長さは、前記テープの前記直交方向の長さより長く、前記第二回転体の前記直交方向の長さは、前記テープの前記直交方向の長さより短いことを特徴とするテープカセット。
【請求項２０】
前記第一回転体より前記第二方向側且つ前記第二回転体より前記第二方向の反対方向である第三方向側における前記テープの搬送経路より、前記第一方向の反対方向である第四方向側に設けられ、前記第一回転体の前記第一方向側の端部と前記第二回転体の前記第一方向側の端部とを結ぶ第一仮想線より、前記第四方向側に位置する第一規制部を備えたことを特徴とする請求項１９に記載のテープカセット。
【請求項２１】
前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えたことを特徴とする請求項２０に記載のテープカセット。
【請求項２２】
前記テープは、
印字に用いられる印字面と、前記印字面の反対側の面に粘着剤の層が形成された粘着面とを備える印字紙と、
前記粘着面に貼り合わされる剥離紙と、
前記印字紙において前記印字面から前記粘着面に亘って形成された切込部と
を備え、
前記印字面は、前記第一回転体と前記第二回転体との間の前記搬送経路において、前記第四方向側の面であることを特徴とする請求項２から２１のいずれかに記載のテープカセット。
【発明の詳細な説明】
【技術分野】
【０００１】
本発明は、テープを収納するテープカセットに関する。
【背景技術】
【０００２】
従来、印字媒体となるテープを収納するテープカセットが知られている。例えば、特許文献１に記載のテープカセットは、テープカセットの左後部に印字媒体となるテープが収納される。テープカセットの右部には、上下方向に開口する開口部が設けられている。テープは、開口部の後側において前方に屈曲し、テープカセットの右前部において左方に屈曲し、アーム部の排出口から排出される。印字媒体としては、例えば、特許文献２に記載のハーフカット加工が施されたラベルテープが用いられる場合がある。
【先行技術文献】
【特許文献】
【０００３】
【特許文献１】国際公開第２０１０／１１３７８０号
【特許文献２】特開２００４−４２４６８号公報
【発明の概要】
【発明が解決しようとする課題】
【０００４】
しかしながら、例えば、上記ハーフカット加工が施されたラベルテープなどの場合、テープの印字面側に切込みがあるため、印字面側に粘着剤が付着する可能性がある。印字面側に粘着剤が付着する可能性のあるテープが使用される場合、開口部より後側から前側に向けてテープを案内する部位に粘着剤が付着する可能性がある。このため、付着した粘着剤によってテープが搬送され難くなる可能性がある。
【０００５】
本発明の目的は、印字媒体であるテープが搬送され難くなる可能性を低減するテープカセットを提供することである。
【課題を解決するための手段】
【０００６】
本発明の第一態様に係るテープカセットは、底面を形成する底板を有するカセットケースを備えるテープカセットであって、印字媒体であるテープが巻回されたテープロールと、前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、前記第一回転体より前記第二方向側に設けられ、前記底板を、前記底面に直交する直交方向に貫通する第一開口部と、前記第一開口部より前記第二方向側に設けられ、前記テープへの印字に使用されるインクリボンが巻回されたインクリボンロールと、前記インクリボンロールの巻回中心より前記第一方向側且つ前記第二方向側に設けられ、前記搬送経路を形成する第二回転体とを備え、前記第一回転体と前記第一開口部との間の距離は、前記第一回転体の径より短いことを特徴とする。
【０００７】
この場合、テープロールから引き出されたテープは、第一回転体によって、第一開口部の第三方向側において第二回転体に向けて案内される。このため、回転しない壁部によってテープが案内される場合に比べて、テープと第一回転体との間の摩擦力が小さくなる。よって、第一回転体にテープの粘着剤が付着する可能性を低減できる。よって、粘着剤によってテープが搬送され難くなる可能性を低減できる。また、第一回転体と第一開口部との間の距離が、第一回転体の径以上である場合に比べて、第一回転体が第一開口部に近くなり、第一開口部におけるテープの位置が安定する。よって、例えば、第一開口部から物体が挿入された場合に、テープに接触し、テープが歪む可能性を低減できる。よって、テープが歪んでテープが搬送され難くなる可能性を低減できる。
【０００８】
前記テープカセットは、前記第一回転体より前記第二方向側且つ前記第二回転体より前記第二方向の反対方向である第三方向側における前記テープの搬送経路より、前記第一方向の反対方向である第四方向側に設けられ、前記第一回転体の前記第一方向側の端部と前記第二回転体の前記第一方向側の端部とを結ぶ第一仮想線より、前記第四方向側に位置する第一規制部を備えてもよい。この場合、第一規制部は、第一仮想線より、第四方向側に位置している。このため、第一規制部が第一仮想線上、又は第一仮想線より第一方向側に位置している場合に比べて、テープの第四方向側の面が第一規制部に接触し難い。よって、第一規制部にテープの粘着剤が付着する可能性を低減できる。故に、粘着剤によってテープが搬送され難くなる可能性を低減できる。
【０００９】
前記テープカセットは、前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えてもよい。この場合、第一規制部が第一仮想線より第四方向側に位置し、第二規制部が第一仮想線より第一方向側に位置する。このため、第二規制部が第一仮想線上、又は第一仮想線より第四方向側に位置している場合に比べて、第一回転体と第二回転体との間で、テープの第一方向側の面が第二規制部に接触し難い。そして、第一規制部が、第一仮想線より第四方向側に位置しているので、テープは、第一仮想線に沿って第一回転体から第二回転体に向かって直線状に延びる。よって、テープが第二規制部において屈曲してテープと第二規制部との間で摩擦力が発生し、テープが搬送され難くなる可能性を低減できる。
【００１０】
前記テープカセットにおいて、前記カセットケースは、前記第二方向側の端部に設けられた壁部である端部壁を備え、前記テープカセットは、前記カセットケースにおける前記端部壁の一部を含み、前記テープの前記搬送経路のうち前記端部壁と平行に延びる部分に沿って前記第四方向側に延び、前記第四方向側の端部に前記テープを排出する排出口を有するアーム部と、前記アーム部における前記第四方向側の端部に設けられ、前記テープを前記排出口に案内する案内部と、前記アーム部の前記第三方向側に隣接して前記カセットケースの前記第一方向側に延び、前記底板を前記直交方向に貫通し、前記カセットケースの前記第一方向における中心位置を跨いで構成された第二開口部とを備え、前記テープロールから、前記第一回転体、前記第二回転体、前記案内部、及び前記排出口を介して前記テープが前記カセットケースの外部に排出される前記搬送経路において、前記第二開口部寄りに屈曲する箇所は、前記第一回転体、前記第二回転体、及び前記案内部の３か所のみであってもよい。この場合、第二開口部寄りに屈曲する箇所が４か所以上である場合に比べて、摩擦力が発生し難い。よって、摩擦力によってテープが搬送され難くなる可能性を低減できる。
前記テープカセットにおいて、前記第一規制部は、前記第一開口部の前記第二方向側の端部に設けられた壁部を含み、前記第一開口部の前記第三方向側の端部から前記第一規制部の前記第二方向側の端部までの第一距離は、前記第一開口部の前記第三方向側の端部から前記第二回転体の前記第二方向側の端部までの第二距離の１／３以下であってもよい。この場合、第一距離が第二距離の１／３より大きい場合に比べて、第一回転体と第二回転体との間の距離が短くなり、第一回転体と第二回転体との間でテープが撓み難くなる。このため、第一開口部におけるテープの位置が安定する。故に、例えば、第一開口部から物体が挿入された場合に、物体がテープに接触し、テープが歪む可能性を低減できる。よって、テープが歪んでテープが搬送され難くなる可能性を低減できる。
本発明の第二態様に係るテープカセットは、底面を形成する底板を有するカセットケースを備えるテープカセットであって、印字媒体であるテープが巻回されたテープロールと、前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、前記第一回転体より前記第二方向側に設けられ、前記底板を、前記底面に直交する直交方向に貫通する第一開口部と、前記第一開口部より前記第二方向側に設けられ、前記テープへの印字に使用されるインクリボンが巻回されたインクリボンロールと、前記インクリボンロールの巻回中心より前記第一方向側且つ前記第二方向側に設けられ、前記搬送経路を形成する第二回転体とを備え、前記カセットケースは、前記第二方向側の端部に設けられた壁部である端部壁を備え、前記テープカセットは、前記カセットケースにおける前記端部壁の一部を含み、前記テープの前記搬送経路のうち前記端部壁と平行に延びる部分に沿って前記第一方向の反対方向である第四方向側に延び、前記第四方向側の端部に前記テープを排出する排出口を有するアーム部と、前記アーム部における前記第四方向側の端部に設けられ、前記テープを前記排出口に案内する案内部と、前記アーム部の前記第二方向の反対方向である第三方向側に隣接して前記カセットケースの前記第一方向側に延び、前記底板を前記直交方向に貫通し、前記カセットケースの前記第一方向における中心位置を跨いで構成された第二開口部とを備え、前記テープロールから、前記第一回転体、前記第二回転体、前記案内部、及び前記排出口を介して前記テープが前記カセットケースの外部に排出される前記搬送経路において、前記第二開口部寄りに屈曲する箇所は、前記第一回転体、前記第二回転体、及び前記案内部の３か所のみであることを特徴とする。
この場合、テープロールから引き出されたテープは、第一回転体によって、第一開口部の第三方向側において第二回転体に向けて案内される。このため、回転しない壁部によってテープが案内される場合に比べて、テープと第一回転体との間の摩擦力が小さくなる。よって、第一回転体にテープの粘着剤が付着する可能性を低減できる。よって、粘着剤によってテープが搬送され難くなる可能性を低減できる。また、第二開口部寄りに屈曲する箇所が４か所以上である場合に比べて、摩擦力が発生し難い。よって、摩擦力によってテープが搬送され難くなる可能性を低減できる。
前記テープカセットは、前記第一回転体より前記第二方向側且つ前記第二回転体より前記第三方向側における前記テープの搬送経路より、前記第四方向側に設けられ、前記第一回転体の前記第一方向側の端部と前記第二回転体の前記第一方向側の端部とを結ぶ第一仮想線より、前記第四方向側に位置する第一規制部を備えてもよい。この場合、第一規制部は、第一仮想線より、第四方向側に位置している。このため、第一規制部が第一仮想線上、又は第一仮想線より第一方向側に位置している場合に比べて、テープの第四方向側の面が第一規制部に接触し難い。よって、第一規制部にテープの粘着剤が付着する可能性を低減できる。故に、粘着剤によってテープが搬送され難くなる可能性を低減できる。
前記テープカセットは、前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えてもよい。この場合、第一規制部が第一仮想線より第四方向側に位置し、第二規制部が第一仮想線より第一方向側に位置する。このため、第二規制部が第一仮想線上、又は第一仮想線より第四方向側に位置している場合に比べて、第一回転体と第二回転体との間で、テープの第一方向側の面が第二規制部に接触し難い。そして、第一規制部が、第一仮想線より第四方向側に位置しているので、テープは、第一仮想線に沿って第一回転体から第二回転体に向かって直線状に延びる。よって、テープが第二規制部において屈曲してテープと第二規制部との間で摩擦力が発生し、テープが搬送され難くなる可能性を低減できる。
【００１１】
前記テープカセットは、前記カセットケースの前記端部壁において、前記アーム部の前記第一方向側の端部に連接され、前記第三方向側に凹む凹部を備え、前記凹部は、前記案内部の前記第二方向側の端部と、前記第二回転体の前記第二方向側の端部とを結んだ第二仮想線より前記第二方向側に位置してもよい。この場合、凹部においてテープが屈曲し難い。よって、テープが凹部において屈曲してテープと凹部との間で摩擦力が発生し、テープが搬送され難くなる可能性を低減できる。
【００１２】
前記テープカセットにおいて、前記テープロールから、前記第一回転体、前記第二回転体、前記案内部、及び前記排出口を介して前記テープが前記カセットケースの外部に排出される前記搬送経路において、前記搬送経路が屈曲する複数の屈曲部は、全て前記第二開口部寄りに屈曲してもよい。この場合、搬送経路が第二開口部から離れる側に屈曲する箇所がある場合に比べて、摩擦力を低減することができ、テープが搬送され難くなる可能性を低減できる。
【００１３】
前記テープカセットにおいて、前記カセットケースは、前記カセットケースの上面を形成する上板を有する上ケースと、前記底板を有する下ケースとを備え、前記下ケースは、前記第一開口部の前記第三方向の端部から前記第一回転体の前記第四方向側に延びる延伸壁部を備えてもよい。この場合、生産工程においてテープが搬送経路に配置される場合に、延伸壁部によって第一回転体の第四方向側にテープが配置され難くなる。よって、第一回転体の第四方向側にテープが配置されて第一回転体にテープが案内されなくなり、テープが搬送され難くなる可能性を低減できる。
本発明の第三態様に係るテープカセットは、底面を形成する底板を有するカセットケースを備えるテープカセットであって、印字媒体であるテープが巻回されたテープロールと、前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、前記第一回転体より前記第二方向側に設けられ、前記底板を、前記底面に直交する直交方向に貫通する第一開口部と、前記第一開口部より前記第二方向側に設けられ、前記テープへの印字に使用されるインクリボンが巻回されたインクリボンロールと、前記インクリボンロールの巻回中心より前記第一方向側且つ前記第二方向側に設けられ、前記搬送経路を形成する第二回転体とを備え、前記カセットケースは、前記カセットケースの上面を形成する上板を有する上ケースと、前記底板を有する下ケースとを備え、前記下ケースは、前記第一開口部の前記第二方向の反対方向である第三方向の端部から前記第一回転体の前記第一方向の反対方向である第四方向側に延びる延伸壁部を備えている。
この場合、テープロールから引き出されたテープは、第一回転体によって、第一開口部の第三方向側において第二回転体に向けて案内される。このため、回転しない壁部によってテープが案内される場合に比べて、テープと第一回転体との間の摩擦力が小さくなる。よって、第一回転体にテープの粘着剤が付着する可能性を低減できる。よって、粘着剤によってテープが搬送され難くなる可能性を低減できる。また、生産工程においてテープが搬送経路に配置される場合に、延伸壁部によって第一回転体の第四方向側にテープが配置され難くなる。よって、第一回転体の第四方向側にテープが配置されて第一回転体にテープが案内されなくなり、テープが搬送され難くなる可能性を低減できる。
前記テープカセットは、前記第一回転体より前記第二方向側且つ前記第二回転体より前記第三方向側における前記テープの搬送経路より、前記第四方向側に設けられ、前記第一回転体の前記第一方向側の端部と前記第二回転体の前記第一方向側の端部とを結ぶ第一仮想線より、前記第四方向側に位置する第一規制部を備えてもよい。この場合、第一規制部は、第一仮想線より、第四方向側に位置している。このため、第一規制部が第一仮想線上、又は第一仮想線より第一方向側に位置している場合に比べて、テープの第四方向側の面が第一規制部に接触し難い。よって、第一規制部にテープの粘着剤が付着する可能性を低減できる。故に、粘着剤によってテープが搬送され難くなる可能性を低減できる。
前記テープカセットは、前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えてもよい。この場合、第一規制部が第一仮想線より第四方向側に位置し、第二規制部が第一仮想線より第一方向側に位置する。このため、第二規制部が第一仮想線上、又は第一仮想線より第四方向側に位置している場合に比べて、第一回転体と第二回転体との間で、テープの第一方向側の面が第二規制部に接触し難い。そして、第一規制部が、第一仮想線より第四方向側に位置しているので、テープは、第一仮想線に沿って第一回転体から第二回転体に向かって直線状に延びる。よって、テープが第二規制部において屈曲してテープと第二規制部との間で摩擦力が発生し、テープが搬送され難くなる可能性を低減できる。
【００１４】
前記テープカセットにおいて、前記延伸壁部の上端の位置は、前記第一回転体の上端の位置より上側であってもよい。この場合、延伸壁部の上端の位置が第一回転体の上端の位置より下側である場合に比べて、生産工程においてテープが搬送経路に配置される場合に、延伸壁部によって第一回転体の第四方向側にテープが配置され難くなる。よって、第一回転体の第四方向側にテープが配置されて第一回転体にテープが案内されなくなり、テープが搬送され難くなる可能性をさらに低減できる。
【００１５】
【００１６】
前記テープカセットにおいて、前記第二回転体は、前記テープの搬送に伴い従動回転可能であってもよい。この場合、例えば、第二回転体が、テープの搬送方向とは逆回転する場合に比べて、第二回転体とテープとの間の摩擦力が小さくなる。よって、第二回転体にテープの粘着剤が付着する可能性を低減できる。よって、粘着剤によってテープが搬送され難くなる可能性を低減できる。
【００１７】
前記テープカセットにおいて、前記第一回転体の径は、前記第二回転体の径より短くてもよい。この場合、第一回転体の径が、第二回転体以上である場合に比べて、テープが第一回転体の第一方向側の端部から第一開口部を通過するまでの距離が短くなり、テープの第一開口部における位置が安定する。故に、例えば、第一開口部から物体が挿入された場合に、物体がテープに接触し、テープが歪む可能性を低減できる。よって、テープが歪んでテープが搬送され難くなる可能性を低減できる。
【００１８】
前記テープカセットにおいて、前記第一回転体の前記直交方向の長さは、前記テープの前記直交方向の長さより長く、前記第二回転体の前記直交方向の長さは、前記テープの前記直交方向の長さより短くてもよい。この場合、第一回転体の直交方向の長さがテープの直交方向の長さ以下である場合に比べて、直交方向におけるテープの端部が、第一回転体の端部より直交方向内側に位置し易い。よって、直交方向におけるテープの端部が、テープカセットにおける第一回転体の直交方向外側に位置する部位に接触して摩擦力が発生する可能性を低減できる。また、第二回転体の直交方向の長さがテープの直交方向の長さ以上である場合に比べて、直交方向におけるテープの端部が、テープカセットにおける第二回転体の直交方向外側に位置する部位に接触し易く、テープの搬送が安定し易い。第二回転体は、第一回転体より搬送経路の下流側に位置するため、テープに印字が行われる位置に近い。すなわち、本発明のテープカセットは、第一回転体において摩擦力が発生する可能性を低減しつつ、印字が行われる位置に近い第二回転体においてテープの搬送を安定させることができる。よって、摩擦力によってテープが搬送され難くなる可能性を低減しつつ、テープの搬送を安定させて印字品質を向上させることができる。
【００１９】
本発明の第四態様に係るテープカセットは、底面を形成する底板を有するカセットケースを備えるテープカセットであって、印字媒体であるテープが巻回されたテープロールと、前記テープロールより、前記底板の一端部から他端部に向かう第一方向側に設けられ、前記テープロールの巻回中心より、前記第一方向に直交し且つ前記底面に平行な第二方向側に位置し、前記テープの搬送経路を形成し、前記テープの搬送に伴い従動回転可能な第一回転体と、前記第一回転体より前記第二方向側に設けられ、前記底板を、前記底面に直交する直交方向に貫通する第一開口部と、前記第一開口部より前記第二方向側に設けられ、前記テープへの印字に使用されるインクリボンが巻回されたインクリボンロールと、前記インクリボンロールの巻回中心より前記第一方向側且つ前記第二方向側に設けられ、前記搬送経路を形成する第二回転体とを備え、前記第一回転体の前記直交方向の長さは、前記テープの前記直交方向の長さより長く、前記第二回転体の前記直交方向の長さは、前記テープの前記直交方向の長さより短いことを特徴とする。
この場合、テープロールから引き出されたテープは、第一回転体によって、第一開口部の第三方向側において第二回転体に向けて案内される。このため、回転しない壁部によってテープが案内される場合に比べて、テープと第一回転体との間の摩擦力が小さくなる。よって、第一回転体にテープの粘着剤が付着する可能性を低減できる。よって、粘着剤によってテープが搬送され難くなる可能性を低減できる。また、第一回転体の直交方向の長さがテープの直交方向の長さ以下である場合に比べて、直交方向におけるテープの端部が、第一回転体の端部より直交方向内側に位置し易い。よって、直交方向におけるテープの端部が、テープカセットにおける第一回転体の直交方向外側に位置する部位に接触して摩擦力が発生する可能性を低減できる。また、第二回転体の直交方向の長さがテープの直交方向の長さ以上である場合に比べて、直交方向におけるテープの端部が、テープカセットにおける第二回転体の直交方向外側に位置する部位に接触し易く、テープの搬送が安定し易い。第二回転体は、第一回転体より搬送経路の下流側に位置するため、テープに印字が行われる位置に近い。すなわち、本発明のテープカセットは、第一回転体において摩擦力が発生する可能性を低減しつつ、印字が行われる位置に近い第二回転体においてテープの搬送を安定させることができる。よって、摩擦力によってテープが搬送され難くなる可能性を低減しつつ、テープの搬送を安定させて印字品質を向上させることができる。
前記テープカセットは、前記第一回転体より前記第二方向側且つ前記第二回転体より前記第二方向の反対方向である第三方向側における前記テープの搬送経路より、前記第一方向の反対方向である第四方向側に設けられ、前記第一回転体の前記第一方向側の端部と前記第二回転体の前記第一方向側の端部とを結ぶ第一仮想線より、前記第四方向側に位置する第一規制部を備えてもよい。この場合、第一規制部は、第一仮想線より、第四方向側に位置している。このため、第一規制部が第一仮想線上、又は第一仮想線より第一方向側に位置している場合に比べて、テープの第四方向側の面が第一規制部に接触し難い。よって、第一規制部にテープの粘着剤が付着する可能性を低減できる。故に、粘着剤によってテープが搬送され難くなる可能性を低減できる。
前記テープカセットは、前記第一回転体より前記第二方向側且つ前記第二回転体より前記第三方向側における前記テープの搬送経路を挟んで前記第一規制部に対向して設けられ、前記第一仮想線より前記第一方向側に位置する第二規制部を備えてもよい。この場合、第一規制部が第一仮想線より第四方向側に位置し、第二規制部が第一仮想線より第一方向側に位置する。このため、第二規制部が第一仮想線上、又は第一仮想線より第四方向側に位置している場合に比べて、第一回転体と第二回転体との間で、テープの第一方向側の面が第二規制部に接触し難い。そして、第一規制部が、第一仮想線より第四方向側に位置しているので、テープは、第一仮想線に沿って第一回転体から第二回転体に向かって直線状に延びる。よって、テープが第二規制部において屈曲してテープと第二規制部との間で摩擦力が発生し、テープが搬送され難くなる可能性を低減できる。
【００２０】
前記テープカセットにおいて、前記テープは、印字に用いられる印字面と、前記印字面の反対側の面に粘着剤の層が形成された粘着面とを備える印字紙と、前記粘着面に貼り合わされる剥離紙と、前記印字紙において前記印字面から前記粘着面に亘って形成された切込部とを備え、前記印字面は、前記第一回転体と前記第二回転体との間の前記搬送経路において、前記第四方向側の面であってもよい。テープに切込部が設けられているので、切込部が設けられていない場合に比べて、粘着剤が印字面側に付着しやすい。しかし、本発明においては、第一回転体によって、第一開口部の第三方向側において第二回転体に向けて案内されるので、回転しない壁部によってテープが案内される場合に比べて、第一回転体に粘着剤が付着する可能性を低減できる。よって、粘着剤によってテープが搬送され難くなる可能性を低減できる。
【図面の簡単な説明】
【００２１】
【図１】カセットカバー６が開かれた状態にあるテープ印字装置１の斜視図である。
【図２】テープカセット３０及びカセット装着部８を説明するための斜視図である。
【図３】テープカセット３０が装着されたカセット装着部８の平面図である。
【図４】ハーフカットテープ５７の正面図である。
【図５】図４のＡ−Ａ線矢視方向断面図である。
【図６】上ケース３１１が取り除かれた状態のテープカセット３０の平面図である。
【図７】上ケース３１１が取り除かれた状態のテープカセット３０の要部拡大図である。
【図８】延伸壁部８５及び第一回転体７１の周辺の左右方向の縦断面図と、第二回転体７２の周辺の左右方向の縦断面図とを並べた図である。
【図９】上ケース３１１が取り除かれた状態の変形例に係るテープカセット３０７の平面図である。
【図１０】上ケース３１１が取り除かれた状態の変形例に係るテープカセット３０８の平面図である。
【図１１】上ケース３１１が取り除かれた状態の変形例に係るテープカセット３０９の平面図である。
【発明を実施するための形態】
【００２２】
本発明を具体化した実施の形態について、図面を参照して説明する。本実施形態に係るテープ印字装置１及びテープカセット３０について説明する。本実施形態の説明では、図１の左下側、右上側、右下側、左上側、上側、下側を、それぞれテープ印字装置１の前側、後側、右側、左側、上側、下側とする。図２の右下側、左上側、右上側、左下側、上側、下側を、それぞれテープカセット３０の前側、後側、右側、左側、上側、下側とする。
【００２３】
本実施形態では、テープカセット３０に収納される各種テープ（例えば、印字テープ及び後述するハーフカットテープ５７）を、総称してテープという。テープカセット３０に収納されるテープの種類（例えば、テープ幅、印字態様、テープ色、文字色など）を、総称してテープ種類という。
【００２４】
図１〜図３を参照して、テープ印字装置１について説明する。説明の便宜上、図２及び図３では、カセット装着部８の周囲を形成する側壁が図示されているが、これらの図はあくまでも模式図であるため、図中に示す側壁は実際よりも厚く描かれている。図２に図示されているギヤ９１、９３、９４、９７、９８、１０１を含むギヤ群は、実際にはキャビティ８１１の底面により覆い隠されている。これらのギヤ群を説明する必要上、図２にはキャビティ８１１の底面は図示されていない。
【００２５】
テープ印字装置１の概略構成について説明する。テープ印字装置１は、１台でサーマルタイプ、レセプタタイプ、ラミネートタイプ、及びハーフカットタイプ等、各種のテープカセットを使用可能な汎用のテープ印字装置である。サーマルタイプのテープカセットは、感熱紙テープを備えている。レセプタタイプのテープカセットは、印字テープとインクリボンとを備えている。ラミネートタイプのテープカセットは、両面粘着テープとフィルムテープとインクリボンとを備えている。ハーフカットタイプのテープカセットは、ハーフカットテープとインクリボンとを備えている。
【００２６】
図１に示すように、テープ印字装置１は、略直方体形状の本体カバー２を備えている。本体カバー２上面の前部には、キャラクタキーや機能キーを含むキーボード３が配設されている。キーボード３の後側には、キーボード３で入力されたキャラクタ（文字、数字、及び図形等）などを表示可能なディスプレイ５が設けられている。ディスプレイ５の後側には、テープカセット３０（図２参照）の交換時に開閉されるカセットカバー６が設けられている。
【００２７】
カセットカバー６は、平面視略長方形状の蓋部である。カセットカバー６は、本体カバー２の背面上方の左右両端部で軸支され、図示しない閉鎖位置と、図１に示す開放位置との間で回動可能である。本体カバー２の内部には、テープカセット３０を着脱可能な領域であるカセット装着部８が設けられている。
【００２８】
本体カバー２の左側面後方には、排出スリット１１１が設けられている。排出スリット１１１は、印字済みのテープをカセット装着部８から排出する。カセットカバー６の左側面には、排出窓１１２が設けられている。排出窓１１２は、カセットカバー６が閉じられている場合に、排出スリット１１１を外部に露出させる。
【００２９】
図２を参照して、カセットカバー６下の本体カバー２の内部構造について説明する。図２に示すように、カセット装着部８は、キャビティ８１１及び角支持部８１２を含む。キャビティ８１１は、カセットケース３１の底面３０２の形状と略対応するように凹設された、平面状の底面を有する凹部である。角支持部８１２は、キャビティ８１１の外縁から水平に延びる平面部である。テープカセット３０がカセット装着部８に装着された場合、角支持部８１２はテープカセット３０の周縁の下面を支持する。
【００３０】
図３に示すように、カセット装着部８の右部には、上下方向に延び、左右方向に対向配置されるセンサ２０１，２０２を含むセンサ２０が設けられている。センサ２０１，２０２は、一方が発光部であり、他方が発光部から発光された光を受光する受光部である。センサ２０１は、センサ２０２の左側に位置する。テープカセット３０がカセット装着部８に装着された場合、センサ２０１が後述する開口部８０１の内側に配置され、センサ２０２が後述する開口部８０２の内側に配置される。センサ２０は、センサ２０１とセンサ２０２との間を通るテープの終端から所定の範囲に設けられた模様を検出し、図示しないＣＰＵに検出信号を伝達する。ＣＰＵは、検出信号に基づき、テープの残量を検出する。
【００３１】
カセット装着部８の前部には、ヘッドホルダ７４が設けられている。ヘッドホルダ７４は、発熱体（図示せず）を備えるサーマルヘッド１０を搭載している。テープカセット３０がカセット装着部８に装着された場合、ヘッドホルダ７４はヘッド挿入部３９に挿入される（図３参照）。カセット装着部８の外側（図２では右上側）には、ステッピングモータであるテープ駆動モータ２３が配設されている。テープ駆動モータ２３の駆動軸の下端には、ギヤ９１が固着されている。ギヤ９１は、開口を介してギヤ９３に噛み合っている。ギヤ９３は、ギヤ９４に噛み合っている。ギヤ９４は、ギヤ９７に噛み合っている。ギヤ９７は、ギヤ９８に噛み合っている。ギヤ９８は、ギヤ１０１に噛み合っている。
【００３２】
ギヤ９４の上面には、リボン巻取軸９５が立設されている。リボン巻取軸９５は、リボン巻取りスプール４４に着脱可能な軸体である。ギヤ１０１の上面には、テープ駆動軸１００が立設されている。テープ駆動軸１００は、テープ駆動ローラ４６の孔部４６１に着脱可能な軸体である。
【００３３】
テープカセット３０がカセット装着部８に装着された状態で、テープ駆動モータ２３が反時計回り方向にギヤ９１を回転駆動すると、ギヤ９３、ギヤ９４を介して、リボン巻取軸９５が反時計回り方向に回転駆動する。リボン巻取軸９５は、リボン巻取軸９５に装着されたリボン巻取りスプール４４を回転駆動する。さらに、ギヤ９４の回転は、ギヤ９７、ギヤ９８、ギヤ１０１を介してテープ駆動軸１００に伝達されて、テープ駆動軸１００が時計回り方向に回転駆動する。テープ駆動軸１００は、テープ駆動軸１００に装着されたテープ駆動ローラ４６を回転駆動する。
【００３４】
図３に示すように、ヘッドホルダ７４の前側には、アーム状のプラテンホルダ１２が設けられている。プラテンホルダ１２は、軸支部１２１を中心に揺動可能に軸支されている。プラテンホルダ１２の先端側には、プラテンローラ１５及び可動搬送ローラ１４が回転可能に軸支されている。プラテンローラ１５は、サーマルヘッド１０に相対して、サーマルヘッド１０と接離可能である。可動搬送ローラ１４は、テープ駆動軸１００に装着されているテープ駆動ローラ４６に相対して、テープ駆動ローラ４６と接離可能である。
【００３５】
プラテンホルダ１２には、カセットカバー６の開閉に連動して左右方向に移動する図示外のリリースレバーが連結されている。カセットカバー６が開放されると、リリースレバーが右方向に移動して、プラテンホルダ１２が図３に示す待機位置に向けて移動する。図３に示す待機位置では、プラテンホルダ１２がカセット装着部８から離間しているので、人がテープカセット３０をカセット装着部８に対して着脱可能である。プラテンホルダ１２は、図示外の巻きバネにより常に待機位置に弾性付勢されている。
【００３６】
カセットカバー６が閉鎖されると、リリースレバーが左方向に移動して、プラテンホルダ１２が印字位置（図示せず）に向けて後方向に移動する。印字位置では、プラテンホルダ１２がカセット装着部８に近接する。具体的には、ハーフカットタイプのテープカセット３０がカセット装着部８に装着されている場合、プラテンローラ１５がハーフカットテープ５７とインクリボン６０とを介してサーマルヘッド１０を押圧する。同時に、可動搬送ローラ１４がハーフカットテープ５７を介してテープ駆動ローラ４６を押圧する。印字位置では、テープ印字装置１がカセット装着部８に装着されているテープカセット３０を使用して印字を行うことが可能である。
【００３７】
図３に示すように、排出スリット１１１（図１参照）の右側には、印字済テープ５０を所定位置で切断するカット機構１７が設けられている。カット機構１７は、固定刃１８と移動刃１９とを有する。移動刃１９は、固定刃１８に対向して前後方向（図３の上下方向）に移動可能である。
【００３８】
図４及び図５を参照して、ハーフカットテープ５７について説明する。ハーフカットテープ５７は、印字紙５７３と剥離紙５７７（図５参照）とを備えている。図５に示すように、印字紙５７３は、印字に用いられる印字面５７４と印字面５７４の反対側の面に粘着剤５８０の層が形成された粘着面５７６とを備える。剥離紙５７７は、粘着面５７６に貼り合わせられる。図４及び図５に示すように、印字紙５７３には、印字面５７４から粘着面５７６に亘って形成された切込部５７８が設けられている。図４に示すように、切込部５７８は、長手方向の端部が丸みを帯びた略矩形状に形成されている。切込部５７８の内側の部位が、シール５７９である。印字面５７４のシール５７９に、例えば、図４に示す「ＡＢＣ」のように印字が行われる。なお、図４においては図示しないが、印字済みのハーフカットテープ５７（即ち、印字済テープ５０）は、図３に示すカット機構１７によって切断され、排出スリット１１１から排出される。図４におけるシール５７９Ａに示すように、印字が行われたシール５７９は、ユーザによって剥離紙５７７から剥がされ、他の物体に貼り付けられる。
【００３９】
テープカセット３０の概略構成について説明する。テープカセット３０は、内部に収納されるテープの種類を適宜変更することによって、レセプタタイプ及びハーフカットタイプ等に実装可能な汎用カセットである。図２〜図８では、一例として、ハーフカットタイプに実装されたテープカセット３０を示している。
【００４０】
図２に示すように、テープカセット３０は、その筐体であるカセットケース３１を備えている。カセットケース３１は、全体としては平面視で丸みを帯びた角部を有する略長方体状（箱型）である。カセットケース３１は、上ケース３１１と下ケース３１２とを含む。下ケース３１２は、カセットケース３１の底面３０２を有する底板３０６を含む。上ケース３１１は、カセットケース３１の上面３０１を有する上板３０５を含み、下ケース３１２の上部に固定される。
【００４１】
以下の説明においては、底板３０６の一端部である左端部から他端部である右端部に向かう右方向を第一方向という場合があり、第一方向に直交し且つ底板３０６に平行な方向を第二方向という場合がある。第二方向の反対方向を第三方向という場合があり、第一方向の反対方向を第四方向という場合がある。本実施形態においては、第一方向は右方向であり、第二方向は前方向である。第三方向は後方向であり、第四方向は左方向である。また、底面３０２に直交する方向が上下方向である。
【００４２】
本実施形態のカセットケース３１は、上板３０５及び底板３０６の周縁全体が側面を形成する周壁によって囲われている。カセットケース３１は、テープカセット３０のテープ種類にかかわらず、同一の幅（上下方向の長さが同一）に形成された４つの角部３２１〜３２４を有する。角部３２１〜３２３は、平面視で直角をなすようにカセットケース３１の側面から外側方向に突出している。左前の角部３２４は、排出案内部４９が角に設けられているため、直角をなしていない。角部３２１〜３２４の下面は、テープカセット３０がカセット装着部８に装着されたときに、角支持部８１２に支持される部位である。
【００４３】
カセットケース３１には、カセットケース３１内に装着されるスプール類を回転可能に支持するための４つの支持孔６５〜６８が設けられている。以下の説明では、カセットケース３１の左側後部、右側後部、右側前部に設けられた孔部を、それぞれ、第一テープ支持孔６５、第二テープ支持孔６６、リボン支持孔６７という。平面視で第一テープ支持孔６５とリボン支持孔６７との間に設けられた孔部を、巻取スプール支持孔６８という。
【００４４】
第一テープ支持孔６５は、第一テープスプール４０（図３及び図６参照）を回転可能に支持する。リボン支持孔６７は、リボンスプール４２（図３及び図６参照）を回転可能に支持する。巻取スプール支持孔６８は、リボン巻取りスプール４４（図３及び図６参照）を回転可能に支持する。リボン巻取りスプール４４の下部には、クラッチバネ３４０（図３及び図６参照）が取り付けられている。クラッチバネ３４０は、リボン巻取りスプール４４が逆転することで巻き取ったインクリボン６０が緩んでしまうのを防止するコイルバネである。
【００４５】
図２及び図６に示すように、カセットケース３１の第二方向の端部に設けられた壁部を前面壁３２という。前面壁３２の右部から左方に延びる壁部はアーム前面壁３５である。アーム前面壁３５から後方へ離間した位置に上下方向に亘って設けられた壁部は、アーム背面壁３７である。アーム前面壁３５及びアーム背面壁３７とで前後に規定される、テープカセット３０の右前部から第四方向に延びる部位が、アーム部３４である。アーム前面壁３５の左端部は、後方へ向かって屈曲している。アーム前面壁３５とアーム背面壁３７の左端部との間で上下方向に延びる隙間が、ハーフカットテープ５７を排出する排出口３４１である。アーム部３４は、前面壁３２の一部を含み、ハーフカットテープ５７の搬送経路のうち、前面壁３２と平行に延びる部分である後述する第三搬送経路５９３に沿って第四方向側に延び、第四方向側の端部に排出口３４１を有する。
【００４６】
アーム背面壁３７の右端部から後方に延び、且つ、アーム背面壁３７と平行に延びる周壁は、ヘッド周壁３６である。アーム背面壁３７とヘッド周壁３６とによって規定される、テープカセット３０を上下方向に貫通する平面視略長方形状の空間は、ヘッド挿入部３９である。すなわち、ヘッド挿入部３９は、底板３０６と上板３０５とを上下方向に貫通している。また、ヘッド挿入部３９は、アーム部３４の第三方向側に隣接して、カセットケース３１の第一方向に延び、カセットケース３１の第一方向における中心位置を跨いで構成されている。ヘッド挿入部３９は、テープカセット３０の前面側に設けられた露出部７７を介して、テープカセット３０の前面側で外部とつながっている。図３に示すように、ヘッド挿入部３９には、サーマルヘッド１０を支持するヘッドホルダ７４が挿入される。
【００４７】
図２及び図６に示すように、カセットケース３１の前面壁３２には、アーム部３４の第一方向側の端部に連接され、第三方向側に凹む凹部８４が設けられている。凹部８４は、カセットケース３１の上下方向に亘って設けられている。図６に示すように、凹部８４は、第一壁部８４１、第二壁部８４２、及び第三壁部８４３とを備えている。第一壁部８４１は、アーム前面壁３５の第一方向の端部から右斜め後方に延びる。第二壁部８４２は、第一壁部８４１の第一方向の端部から第一方向に延びる。第三壁部８４３は、第二壁部８４２の第一方向の端部から右斜め前方に延びる。凹部８４は、テープカセット３０がカセット装着部８に装着されたときに、プラテンホルダ１２の軸支部１２１がカセットケース３１と干渉しないように設けられた逃がし部である。
【００４８】
カセットケース３１内には、第一テープ領域４００及び第二テープ領域４１０が設けられている。第一テープ領域４００は、テープを収納可能な領域である。第一テープ領域４００は、カセットケース３１の左後部の角部３２１に隣接した、カセットケース３１内の左半分をほぼ占める平面視略円形の領域である。第二テープ領域４１０は、カセットケース３１の右後部の角部３２２に隣接した、カセットケース３１内の右後部に設けられた平面視略円形の領域である。なお、本実施形態においては、第二テープ領域４１０にテープは収納されない。しかし、仮にテープカセット３０がラミネートカセットである場合には、第二テープ領域４１０に印字媒体であるフィルムテープが収納されてもよい。
【００４９】
ハーフカットタイプのテープカセット３０の場合、第一テープ領域４００には、ハーフカットテープ５７が巻回されたテープロール５７１が収納される。テープロール５７１より第一方向側、且つテープロール５７１の巻回中心５７２より第二方向側には、第一回転体７１が設けられている。第一回転体７１は、第二テープ領域４１０の前部に位置する。
【００５０】
図８に示すように、第一回転体７１は、支持軸７１２及び支持軸７１６が挿入される上下方向の貫通孔７１１を備える円筒状である。底板３０６における第一回転体７１の下方の部位は、平面視円形に上方に突出する突出部９１１である。支持軸７１２は、底板３０６における突出部９１１の上側の面９１３の中心部から上方に延びる円柱状である。上板３０５における第一回転体７１の上方の部位は、平面視円形に下方に突出する突出部９１２である。支持軸７１６は、上板３０５における突出部９１２の下側の面９１４の中心部から下方に延びる円柱状である。第一回転体７１の下端は、重力によって面９１３に接触している。
【００５１】
図７に示すように、第一回転体７１は、テープロール５７１から引き出されたハーフカットテープ５７の搬送経路を形成し、ハーフカットテープ５７の搬送に伴い平面視時計方向に従動回転可能である。第一回転体７１は、第一テープ領域４００におけるテープロール５７１の収納量に関わらずハーフカットテープ５７に接触する。図８に示すように、第一回転体７１の上下方向の長さＬ１は、ハーフカットテープ５７の上下方向の長さＬ２より長い。
【００５２】
図７に示すように、第一回転体７１より第二方向側には、開口部８０が設けられている。開口部８０は、平面視で前後方向に長い長方形状の一対の開口部８０１，８０２を含む。開口部８０１，８０２は、互いに離間して左右方向に並んでいる。開口部８０１，８０２は、底板３０６と上板３０５（図２参照）とを上下方向に貫通する。より詳細には、第一回転体７１は、前後方向において開口部８０１の右部と対向している。開口部８０２は、開口部８０１の第一方向に位置する。前後方向において、第一回転体７１と開口部８０との間の距離Ｌ３は、第一回転体７１の径より短い。
【００５３】
開口部８０より第二方向側には、ハーフカットテープ５７への印字に使用されるインクリボン６０が巻回されたリボンスプール４２が設けられている。インクリボン６０は、前後方向において開口部８０１と対向している。リボンスプール４２は、ヘッド挿入部３９より第一方向側に位置する。リボンスプール４２の上下方向の端部には、径方向外側に突出するフランジ部４２３が設けられている。図７においては上側のフランジ部４２３のみを図示している。リボンスプール４２には、未使用のインクリボン６０が巻回される。巻回されたインクリボン６０は、上下のフランジ部４２３の間に位置する。
【００５４】
リボンスプール４２より第三方向側且つ第四方向側には、印字に使用された後のインクリボン６０を巻き取るリボン巻取りスプール４４が設けられている。リボン巻取りスプール４４は、第一テープ領域４００とリボンスプール４２との間に設けられている。
【００５５】
リボンスプール４２より右斜め前方向には、第二回転体７２が配置されている。即ち、第二回転体７２は、リボンスプール４２の巻回中心４２１より第一方向側且つ第二方向側に設けられている。図８に示すように、第二回転体７２は、支持軸７２２及び支持軸７２６が挿入される上下方向の貫通孔７２１を備える円筒状である。底板３０６における第二回転体７２の下方の部位は、平面視円形に上方に突出する突出部９２１である。支持軸７２２は、底板３０６における突出部９２１の上側の面９２３の中心部から上方に延びる円柱状である。上板３０５における第二回転体７２の上方の部位は、平面視円形に下方に突出する突出部９２２である。支持軸７２６は、上板３０５における突出部９２２の下側の面９２４の中心部から下方に延びる円柱状である。第二回転体７２の下端は、重力によって面９２３に接触している。
【００５６】
図７に示すように、第二回転体７２は、テープロール５７１から引き出されたハーフカットテープ５７の搬送経路を形成し、ハーフカットテープ５７の搬送に伴い平面視時計方向に従動回転可能である。図８に示すように、第二回転体７２の上下方向の長さＬ４は、ハーフカットテープ５７の上下方向の長さＬ２より短い。図７に示すように、第一回転体７１の径は、第二回転体７２の径より短い。また、図８に示すように、面９２３の位置は、上下方向において面９１３より上側である。面９２４の位置は、上下方向において面９１４より下側である。また、第一回転体７１と第二回転体７２との材質は、例えば、ＡＢＳ樹脂である。
【００５７】
アーム部３４における第四方向側の端部には、ハーフカットテープ５７を排出口３４１に案内する案内部３３が設けられている。案内部３３は、上下方向に延びる。案内部３３の後端部は丸みを有し、前端部は左右方向に平行である。案内部３３の上下方向の端部には、第二方向に突出する突出部３３１が設けられている。図７においては、上側の突出部３３１のみを図示している。ハーフカットテープ５７は、上下の突出部３３１の間に配置され、案内部３３に当接して案内される。案内部３３の右部から第一方向に壁部３３２が延びる。壁部３３２の第一方向側の端部には、上下方向に延びる円柱部３３３が設けられている。
【００５８】
以下の説明においては、図６に示すテープロール５７１の搬送経路のうち、テープロール５７１の右後部から右前方に向けて引き出され、第一回転体７１、第二回転体７２、案内部３３、及び排出口３４１を介してハーフカットテープ５７が外部に搬送される搬送経路を、搬送経路５９という。搬送経路５９のうち、テープロール５７１より第一方向側且つ第一回転体７１より第四方向側の搬送経路を第一搬送経路５９１という。搬送経路５９のうち、第一回転体７１より第二方向側且つ第二回転体７２より第三方向側の搬送経路を、第二搬送経路５９２という。搬送経路５９のうち、第二回転体７２より第四方向側且つ案内部３３より第一方向側の搬送経路を第三搬送経路５９３という。
【００５９】
搬送経路５９は、テープロール５７１から第一回転体７１に向かい、第一回転体７１においてヘッド挿入部３９寄りに鈍角に屈曲し、第二回転体７２においてヘッド挿入部３９寄りに鋭角に屈曲し、案内部３３においてヘッド挿入部３９よりに鈍角に屈曲する。本実施形態においては、搬送経路５９がヘッド挿入部３９寄り、即ちカセットケース３１の内側寄りに屈曲する箇所は、第一回転体７１、第二回転体７２、及び案内部３３の３か所のみである。図７に示すように、第一回転体７１による搬送経路５９の屈曲部を屈曲部７０１といい、第二回転体７２による搬送経路５９の屈曲部を屈曲部７０２という。案内部３３による搬送経路５９の屈曲部を屈曲部７０３という。搬送経路５９が屈曲する複数の屈曲部７０１〜７０３は、全てヘッド挿入部３９側寄りに屈曲する。
【００６０】
なお、本実施形態における搬送経路５９は、ハーフカットテープ５７に撓みのない状態においてハーフカットテープ５７が位置する経路であり、例えば、排出口３４１から後述する規制部材３６１，３６２（図２参照）に向けてハーフカットテープ５７に張力が加えられた場合における経路である。
【００６１】
第一回転体７１の第一方向側の端部７１４と第二回転体７２の第一方向側の端部７２４とを結ぶ仮想線を第一仮想線７３１という。本実施形態においては、第二搬送経路５９２と第一仮想線７３１とは同一線上である。また、第二回転体７２の第二方向側の端部７２５と案内部３３の第二方向側の端部３３４とを結ぶ仮想線を第二仮想線７３２という。本実施形態においては、第三搬送経路５９３と第二仮想線７３２とは、同一線上である。
【００６２】
第二搬送経路５９２の第四方向側且つ第一仮想線７３１の第四方向側には、第一規制部７５が設けられている。第一規制部７５に左右方向に対向して、第二規制部７６が設けられている。第二規制部７６は、第二搬送経路５９２を挟んで第一規制部７５に対向して設けられ、第一仮想線７３１より第一方向側に位置する。
【００６３】
第一規制部７５は、壁部７５１と壁部７５２とを含む。壁部７５１は、開口部８０、より詳細には開口部８０１の第二方向側の端部に沿って左右方向に延びる。壁部７５２は、壁部７５１の第一方向の端部から第三方向に延びる。壁部７５２の第三方向の端部は、開口部８０１の前後方向中央より第二方向側である。
【００６４】
第二規制部７６は、壁部７６１と壁部７６２とを含む。壁部７６１は、開口部８０、より詳細には開口部８０２の第二方向側の端部に沿って左右方向に延びる。壁部７６２は、壁部７６１の第四方向の端部から第三方向に延びる。壁部７６２の第三方向の端部は、開口部８０２の前後方向中央より第二方向側である。
【００６５】
前後方向における開口部８０１の第三方向側の端部８０３から第一規制部７５の第二方向側の端部７５３までの距離を第一距離Ｌ５とする。前後方向における開口部８０１の第三方向側の端部８０３から第二回転体７２の第二方向側の端部７２５までの距離を第二距離Ｌ６とする。第一距離Ｌ５は、第二距離Ｌ６の１／３以下である。図７においては、第一距離Ｌ５は、第二距離Ｌ６の１／３より小さく設定してある。
【００６６】
開口部８０１の左端部と左後部とに亘って、壁部７８が設けられている。壁部７８は、第一規制部７５の第四方向の端部と接続されている。開口部８０２の右端部と後端部と左後部とに亘って、壁部７９が設けられている。壁部７９は、第二規制部７６の第一方向の端部と接続されている。
【００６７】
壁部７８の後端部の右端には、延伸壁部８５が接続されている。延伸壁部８５は、開口部８０、より詳細には開口部８０１の第三方向側の端部８０３から第一回転体７１の第四方向側に延びる。延伸壁部８５は、第一回転体７１に沿って湾曲している。図８に示すように、延伸壁部８５の上端８５１の位置は、第一回転体７１の上端７１５の位置よりも上側である。
【００６８】
図７に示すように、凹部８４は、第二仮想線７３２より第二方向側に位置する。このため、第三搬送経路５９３のうち凹部８４に対向する部位は、ヘッド挿入部３９から離れる方向に屈曲しない。また、アーム部３４の円柱部３３３及び壁部３３２は、第二仮想線７３２より第三方向側に位置する。このため、第三搬送経路５９３のうち円柱部３３３及び壁部３３２に対向する部位は、ヘッド挿入部３９寄りに屈曲しない。
【００６９】
図６に示すように、ヘッド挿入部３９の左側には、分離部６１が設けられている。分離部６１は、露出部７７のテープ搬送方向下流側で、印字に使用されたハーフカットテープ５７とインクリボン６０とを分離する部位である。分離部６１は、規制部材３６１、３６２（図２参照）、及びリボン案内壁３８等を含む。
【００７０】
分離部６１の左側（つまり、搬送経路の下流側）には、テープ駆動ローラ４６が回転可能に軸支される（図２参照）。テープ駆動ローラ４６の外周面の一部である前側の面は、カセットケース３１の外部に露出し、ハーフカットテープ５７に接触している。
【００７１】
テープ駆動ローラ４６の搬送方向下流側には、排出案内部４９が設けられている。排出案内部４９は、カセットケース３１の左側面の前端部から僅かに前方に離間して設けられた、上面３０１と底面３０２に亘る板状部材である。排出案内部４９は、テープ駆動ローラ４６を経由して搬送されてきた印字済テープ５０を、カセットケース３１の左側面の前端部との間に形成される通路内に案内する。印字済テープ５０は、この通路の終端からテープカセット３０の外部に排出される。
【００７２】
ハーフカットテープ５７の搬送及び印字について説明する。図３に示すように、ハーフカットタイプのテープカセット３０がカセット装着部８に装着される。開口部８０１，８０２の内側には、センサ２０１，２０２が配置される。テープ駆動ローラ４６と可動搬送ローラ１４との協働によって、テープロール５７１からハーフカットテープ５７が引き出される。ハーフカットテープ５７の引き出しに伴って、テープロール５７１が平面視時計回りに回転する。テープロール５７１から引き出されたハーフカットテープ５７は、第一搬送経路５９１を通って第一回転体７１に向かう。ハーフカットテープ５７は第二搬送経路５９２を通って第二回転体７２に向かい、アーム部３４に搬送される。
【００７３】
一方、リボン巻取りスプール４４は、リボン巻取軸９５の駆動に伴って平面視反時計回りに回転し、インクリボン６０をリボンスプール４２から引き出す。インクリボン６０の引き出しに伴って、リボンスプール４２は平面視反時計回りに回転する。リボンスプール４２から引き出されたインクリボン６０は、アーム部３４に向けて搬送される。
【００７４】
アーム部３４内では、ハーフカットテープ５７が、アーム前面壁３５と略平行に延びる第三搬送経路５９３を通る。ハーフカットテープ５７は、案内部３３によって左斜め後方に屈曲され、排出口３４１から露出部７７に排出される。インクリボン６０は、アーム部３４内で円柱部３３３、壁部３３２、及び案内部３３より第三方向側を通り、ハーフカットテープ５７と重ね合わされて排出口３４１から露出部７７に排出される。
【００７５】
露出部７７では、排出口３４１から排出されたハーフカットテープ５７の剥離紙５７７（図５参照）が前方に露出し、且つ印字面５７４（図４及び図５参照）がサーマルヘッド１０に対向する。サーマルヘッド１０は、露出部７７に位置するハーフカットテープ５７にインクリボン６０を用いた印字を行う。
【００７６】
印字が行われた後のインクリボン６０は、分離部６１によってハーフカットテープ５７と分離され、リボン案内壁３８に沿って移動し、リボン巻取りスプール４４に巻き取られる。印字後のハーフカットテープ５７、すなわち印字済テープ５０は、規制部材３６１、３６２によってテープ搬送方向の下流側に案内され、テープ駆動ローラ４６と可動搬送ローラ１４との間を経由して排出案内部４９に向かって搬送される。印字済テープ５０は、排出案内部４９から外部に排出される。これによって、印字済テープ５０が得られる。
【００７７】
以上のように、本実施形態におけるテープカセット３０が構成され、印字が行われる。本実施形態においては、図７に示すように、テープロール５７１から引き出されたハーフカットテープ５７は、第一回転体７１によって、開口部８０の第三方向側において第二回転体７２に向けて案内される。このため、回転しない壁部によってハーフカットテープ５７が案内される場合に比べて、ハーフカットテープ５７と第一回転体７１との間の摩擦力が小さくなる。よって、第一回転体７１にハーフカットテープ５７の粘着剤５８０（図５参照）が付着する可能性を低減できる。よって、粘着剤５８０によってハーフカットテープ５７が搬送され難くなる可能性を低減できる。
【００７８】
また、第一規制部７５は、第一仮想線７３１より、第四方向側に位置している。このため、第一規制部７５が第一仮想線７３１上、又は第一仮想線７３１より第一方向側に位置している場合に比べて、ハーフカットテープ５７の第四方向側の面、即ち印字面５７４が第一規制部７５に接触し難い。よって、第一規制部７５にテープの粘着剤５８０が付着する可能性を低減できる。故に、粘着剤５８０によってハーフカットテープ５７が搬送され難くなる可能性を低減できる。
【００７９】
また、前後方向において、第一回転体７１と開口部８０との間の距離Ｌ３は、第一回転体７１の径より短い。このため、第一回転体７１と開口部８０との間の距離Ｌ３が、第一回転体７１の径以上である場合に比べて、第一回転体７１が開口部８０に近くなり、開口部８０におけるハーフカットテープ５７の位置が安定する。よって、例えば、開口部８０からセンサ２０（図３参照）が挿入された場合に、ハーフカットテープ５７に接触し、ハーフカットテープ５７が歪む可能性を低減できる。また、センサ２０に限らず、開口部８０から棒状の物体が挿入された場合に、ハーフカットテープ５７に接触し、ハーフカットテープ５７が歪む可能性を低減できる。よって、ハーフカットテープ５７が歪んで搬送され難くなる可能性を低減できる。
【００８０】
また、第一規制部７５が第一仮想線７３１より第四方向側に位置し、第二規制部７６が第一仮想線７３１より第一方向側に位置する。このため、第二規制部７６が第一仮想線７３１上、又は第一仮想線７３１より第四方向側に位置している場合に比べて、第一回転体７１と第二回転体７２との間で、ハーフカットテープ５７の第一方向側の面を形成する剥離紙５７７が第二規制部７６に接触し難い。そして、第一規制部７５が、第一仮想線７３１より第四方向側に位置しているので、ハーフカットテープ５７は、第一仮想線７３１に沿って第一回転体７１から第二回転体７２に向かって直線状に延びる。よって、ハーフカットテープ５７が第二規制部７６において屈曲してハーフカットテープ５７と第二規制部７６との間で摩擦力が発生し、ハーフカットテープ５７が搬送され難くなる可能性を低減できる。
【００８１】
また、搬送経路５９において、ヘッド挿入部３９寄りに、即ちカセットケース３１の内側寄りに屈曲する箇所は、第一回転体７１、前記第二回転体７２、及び案内部３３の３か所のみである。このため、ヘッド挿入部３９寄りに屈曲する箇所が４か所以上である場合に比べて、摩擦力が発生し難い。よって、摩擦力によってハーフカットテープ５７が搬送され難くなる可能性を低減できる。
【００８２】
また、凹部８４は、第二仮想線７３２より第二方向側に位置する。このため、凹部８４によってハーフカットテープ５７がヘッド挿入部３９から離れる方向に屈曲する可能性を低減できる。よって、ハーフカットテープ５７が凹部８４において屈曲してハーフカットテープ５７と凹部８４との間で摩擦力が発生し、ハーフカットテープ５７が搬送され難くなる可能性を低減できる。
【００８３】
また、搬送経路５９において、複数の屈曲部７０１〜７０３は、全てヘッド挿入部３９寄り、即ちカセットケース３１の内側寄りに屈曲する。このため、搬送経路５９がヘッド挿入部３９から離れる方向に屈曲する箇所がある場合に比べて、摩擦力を低減することができ、ハーフカットテープ５７が搬送され難くなる可能性を低減できる。
【００８４】
また、下ケース３１２は、延伸壁部８５を備えている。このため、生産工程においてハーフカットテープ５７が搬送経路５９に配置される場合に、延伸壁部８５によって第一回転体７１の第四方向側にハーフカットテープ５７が配置され難くなる。よって、第一回転体７１の第四方向側にハーフカットテープ５７が配置されて第一回転体７１に案内されなくなり、ハーフカットテープ５７が搬送され難くなる可能性を低減できる。
【００８５】
また、図８に示すように、延伸壁部８５の上端８５１の位置は、第一回転体７１の上端７１５の位置より上側である。このため、延伸壁部８５の上端８５１の位置が第一回転体７１の上端７１５の位置より下側である場合に比べて、生産工程においてハーフカットテープ５７が搬送経路に配置される場合に、延伸壁部８５によって第一回転体７１の第四方向側にハーフカットテープ５７が配置され難くなる。よって、第一回転体７１の第四方向側にハーフカットテープ５７が配置されて第一回転体７１に案内されなくなり、ハーフカットテープ５７が搬送され難くなる可能性をさらに低減できる。
【００８６】
また、図７に示すように第一距離Ｌ５は、第二距離Ｌ６の１／３以下である。このため、第一距離Ｌ５が第二距離Ｌ６の１／３より大きい場合に比べて、第一回転体７１と第二回転体７２との間の距離が短くなり、第一回転体７１と第二回転体７２との間でハーフカットテープ５７が撓み難くなる。このため、開口部８０におけるハーフカットテープ５７の位置が安定する。よって、例えば、開口部８０からセンサ２０が挿入された場合に、ハーフカットテープ５７に接触し、ハーフカットテープ５７が歪む可能性を低減できる。また、センサ２０に限らず、開口部８０から棒状の物体が挿入された場合に、ハーフカットテープ５７に接触し、ハーフカットテープ５７が歪む可能性を低減できる。よって、ハーフカットテープ５７が歪んで搬送され難くなる可能性を低減できる。
【００８７】
また、第二回転体７２は、ハーフカットテープ５７の搬送に伴い従動回転可能である。この場合、例えば、第二回転体７２が、ハーフカットテープ５７の搬送方向とは逆回転する場合に比べて、第二回転体７２とハーフカットテープ５７との間の摩擦力が小さくなる。よって、第二回転体７２にハーフカットテープ５７の粘着剤５８０が付着する可能性を低減できる。よって、粘着剤５８０によってテープが搬送され難くなる可能性を低減できる。
【００８８】
また、第一回転体７１の径は、第二回転体７２の径より小さい。このため、第一回転体７１の径が、第二回転体７２以上である場合に比べて、ハーフカットテープ５７が第一回転体７１の第一方向側の端部７１４から開口部８０を通過するまでの距離が短くなり、ハーフカットテープ５７の開口部８０における位置が安定する。よって、例えば、開口部８０からセンサ２０が挿入された場合に、ハーフカットテープ５７に接触し、ハーフカットテープ５７が歪む可能性を低減できる。また、センサ２０に限らず、開口部８０から棒状の物体が挿入された場合に、ハーフカットテープ５７に接触し、ハーフカットテープ５７が歪む可能性を低減できる。よって、ハーフカットテープ５７が歪んで搬送され難くなる可能性を低減できる。
【００８９】
また、図８に示すように、第一回転体７１の上下方向の長さＬ１は、ハーフカットテープ５７の上下方向の長さＬ２より長く、第二回転体７２の上下方向の長さＬ４は、ハーフカットテープ５７の上下方向の長さＬ２より短い。第一回転体７１の上下方向の長さＬ１がハーフカットテープ５７の上下方向の長さＬ２以下である場合に比べて、上下方向におけるハーフカットテープ５７の端部が、第一回転体７１の端部より上下方向内側に位置し易い。よって、上下方向におけるハーフカットテープ５７の端部が、テープカセット３０における第一回転体７１の上下方向外側に位置する面９１３，９１４に接触して摩擦力が発生する可能性を低減できる。また、第二回転体７２の上下方向の長さがハーフカットテープ５７の上下方向の長さ以上である場合に比べて、上下方向におけるハーフカットテープ５７の端部が、テープカセット３０における第二回転体７２の上下方向外側に位置する面９２３，９２４に接触し易く、ハーフカットテープ５７の搬送が安定し易い。第二回転体７２は、第一回転体７１より搬送経路の下流側に位置するため、ハーフカットテープ５７に印字が行われる位置に近い。すなわち、本実施形態のテープカセット３０は、第一回転体７１において摩擦力が発生する可能性を低減しつつ、印字が行われる位置に近い第二回転体７２においてハーフカットテープ５７の搬送を安定させることができる。よって、摩擦力によってハーフカットテープ５７が搬送され難くなる可能性を低減しつつ、ハーフカットテープ５７の搬送を安定させて印字品質を向上させることができる。
【００９０】
また、図４及び図５に示すように、ハーフカットテープ５７には、切込部５７８が設けられているので、切込部５７８が設けられていない場合に比べて、粘着剤５８０（図５参照）が印字面５７４側に付着しやすい。しかし、本実施形態においては、ハーフカットテープ５７は、第一回転体７１によって、開口部８０の第三方向側において第二回転体７２に向けて案内されるので、回転しない壁部によってハーフカットテープ５７が案内される場合に比べて、第一回転体７１に粘着剤５８０が付着する可能性を低減できる。よって、粘着剤５８０によってハーフカットテープ５７が搬送され難くなる可能性を低減できる。
【００９１】
上記実施形態において、上下方向は本発明の「直交方向」の一例である。ハーフカットテープ５７は本発明の「テープ」の一例である。インクリボン６０が巻回されたリボンスプール４２は本発明の「インクリボンロール」の一例である。開口部８０、８０１，８０２は本発明の「第一開口部」の一例である。前面壁３２は本発明の「端部壁」の一例である。
【００９２】
なお、本発明は上記の実施形態に限定されるものではなく、種々の変更が可能である。例えば、本実施形態のカセットケース３１は、上板３０５及び底板３０６の周縁全体が側面を形成する周壁によって囲われているが、必ずしも全体が囲われている必要はない。例えば、周壁の一部（例えば背面）にカセットケース３１内を露出させるような開口部が設けられていたり、その開口部を臨む位置に上板３０５及び底板３０６を接続するボスが設けられたりしてもよい。また、例えば、上板３０５及び底板３０６の周縁の側面を形成する周壁の全体が設けられていなくてもよい。
【００９３】
また、図８に示す第一回転体７１の上下方向の長さＬ１は、ハーフカットテープ５７の上下方向の長さＬ２以下でもよい。第二回転体７２の上下方向の長さＬ４は、ハーフカットテープ５７の上下方向の長さＬ２以上であってもよい。図７に示す第一回転体７１の径は、第二回転体７２の径以上であってもよい。
【００９４】
第一距離Ｌ５は、第二距離Ｌ６までの１／３より大きくてもよい。図８に示す延伸壁部８５の上端８５１の位置は、第一回転体７１の上端７１５と同じ位置又は下側であってもよい。図２に示すカセットケース３１は、上ケース３１１と下ケース３１２とに分かれていなくてもよい。図７に示す搬送経路５９が屈曲する複数の屈曲部７０１〜７０３は、全て、ヘッド挿入部３９寄りに屈曲していたが、屈曲部７０１〜７０３の他に、ヘッド挿入部３９から離れる方向に屈曲する屈曲部が設けられてもよい。
【００９５】
また、搬送経路５９において、ヘッド挿入部３９寄りに屈曲する箇所は、第一回転体７１、第二回転体７２、及び案内部３３の３か所のみであったが、４か所以上あってもよい。凹部８４は、第二仮想線７３２より第二方向側に位置していたが、第二仮想線７３２上、又は第二仮想線７３２より第三方向側に位置してもよい。また、アーム部３４が設けられなくてもよい。ヘッド挿入部３９が設けられなくてもよい。また、第二規制部７６が設けられなくてもよい。また、第一回転体７１と開口部８０との間の距離Ｌ３は、第一回転体７１の径より短くてもよい。
【００９６】
第一規制部７５は、開口部８０１の第二方向側に設けられた壁部７５１を含まなくてもよい。第二規制部７６は、開口部８０２の第二方向側に設けられた壁部７６１を含まなくてもよい。例えば、図９に示す後述する第一規制部７５６と第二規制部７６６のように、開口部８０（図９においては後述する開口部８０５）より第二方向側にあってもよい。
【００９７】
第一テープ領域４００に収納されるテープが、ハーフカットテープ５７であったが、これに限定されない。例えば、第一テープ領域４００には、印字テープ等が配置されてもよい。切込部５７８（図５参照）のない印字テープであっても、印字面側に粘着剤が付着する可能性がある。しかし、印字テープであっても、ハーフカットテープ５７の場合と同様の効果を奏することができ、粘着剤によって印字テープが搬送され難くなる可能性を低減できる。
【００９８】
また、開口部８０は、開口部８０１と開口部８０２とに分かれていたが、これに限定されない。例えば、図９に示すテープカセット３０７の開口部８０５のように、左右方向に長い１つの開口部であってもよい。なお、図９に示す例においては、開口部８０５の前端部に壁部は設けられておらず、図７に示す第一規制部７５と第二規制部７６とは設けられていない。しかし、第一規制部７５は、図７に示す壁部７５１に対応する位置に設けられてもよい。また、第二規制部７６は、図７に示す壁部７６１に対応する位置に設けられてもよい。また、第一規制部７５と第二規制部７６との変形例として、図９において点線で示すように、第一規制部７５６と第二規制部７６６とが、開口部８０５より第二方向側に位置してもよい。第一規制部７５６と第二規制部７６６とは、底板３０６から上方に延びる円柱状である。第一規制部７５６は、第二搬送経路５９２の第四方向側且つ第一仮想線７３１の第四方向側に設けられている。第二規制部７６６は、第一規制部７５に左右方向に対向し、第二搬送経路５９２を挟んで第一規制部７５に対向して設けられ、第一仮想線７３１より第一方向側に位置する。
【００９９】
また、第二回転体７２は、ハーフカットテープ５７の搬送に伴い従動回転可能でなくてもよい。例えば、図１０に示すテープカセット３０８のように、ハーフカットテープ５７が、第二回転体７２ではなく、リボンスプール４２の右前部によって案内されてもよい。搬送経路となるリボンスプール４２の右前部は、リボンスプール４２におけるインクリボン６０の巻回中心４２１より、第一方向側且つ第二方向側に設けられている。また、図１０に示す変形例においては、第一回転体７１の第一方向側の端部７１４とリボンスプール４２の右端部４２４とを結ぶ仮想線が、第一仮想線７３１である。搬送経路５９のうち、第一回転体７１より第二方向側且つリボンスプール４２の右前部よりも第三方向側におけるハーフカットテープ５７の搬送経路が、第二搬送経路５９２である。第二搬送経路５９２と第一仮想線７３１とは同一線上である。第一規制部７５は、第二搬送経路５９２の第四方向側且つ第一仮想線７３１の第四方向側に設けられている。第二規制部７６は、第一規制部７５に左右方向に対向し、第二搬送経路５９２を挟んで第一規制部７５に対向して設けられ、第一仮想線７３１より第一方向側に位置する。
【０１００】
また、第一回転体７１の位置は、テープロール５７１より第一方向側であり、テープロール５７１の巻回中心５７２より第二方向側であり、開口部８０より第三方向側であればよい。例えば、図１１に示すテープカセット３０９のように、第一回転体７１は、領域８６の内に設けられてもよい。領域８６は、テープロール５７１より第二方向側であり、テープロール５７１の巻回中心５７２より第二方向側であり、開口部８０より第三方向側である矩形状の領域である。領域８６の第四方向の端部の位置の左右方向の位置は、開口部８０１の第四方向の端部の左右方向の位置と同じである。領域８６の第一方向の端部の左右方向の位置は、開口部８０２の第四方向の端部の左右方向の位置と同じである。第一回転体７１は、領域８６内のいずれの位置に設けられてもよい。図１１においては、一例として、領域８６の右前部、右後部、及び左後部に第一回転体７１が位置する場合を図示している。なお、領域８６の第一方向の端部の左右方向の位置は、開口部８０２の第一方向の端部と同じ位置であってもよい。しかし、領域８６内に第一回転体７１が配置されれば、領域８６より第一方向側に配置される場合に比べて、第二規制部７６においてヘッド挿入部３９から離れる方向に屈曲する屈曲角度が小さくなり、ハーフカットテープ５７が搬送され難くなる可能性を低減できる。
【符号の説明】
【０１０１】
３０，３０７，３０８，３０９    テープカセット
３１    カセットケース
３２    前面壁
３３    案内部
３４    アーム部
３５    アーム前面壁
３９    ヘッド挿入部
４２    リボンスプール
５７    ハーフカットテープ
５９    搬送経路
６０    インクリボン
７１    第一回転体
７２    第二回転体
７５，７５６    第一規制部
７６，７６６    第二規制部
８０，８０１，８０２，８０５    開口部
８４    凹部
８５    延伸壁部
３１１    上ケース
３１２    下ケース
３４１    排出口
５７１    テープロール
５７３    印字紙
５７４    印字面
５７６    粘着面
５７７    剥離紙
５７８    切込部
５８０    粘着剤
５９１    第一搬送経路
５９２    第二搬送経路
５９３    第三搬送経路
７０１，７０２，７０３    屈曲部
７３１    第一仮想線
７３２    第二仮想線
７５１，７６１    壁部
【図１】
0006365377.tif 000002
【図２】
0006365377.tif 000003
【図３】
0006365377.tif 000004
【図４】
0006365377.tif 000005
【図５】
0006365377.tif 000006
【図６】
0006365377.tif 000007
【図７】
0006365377.tif 000008
【図８】
0006365377.tif 000009
【図９】
0006365377.tif 000010
【図１０】
0006365377.tif 000011
【図１１】
0006365377.tif 000012